(57)【要約】  光ファイバアダプタモジュール３１６は第一の端及び第二の端を含む成形ワンピースハウジング５００を含み、ハウジングは第一の端から第二の端まで伸びる少なくとも３つの開口５０２を含み、開口の各々は光ファイバコネクタ３１８で終端される２本のケーブルを相互接続するための別個の光ファイバアダプタ３１５を形成する。ハウジングは固定設備４００に可動的に取り付けられ、モジュールは開口の縦軸に非平行である移動線に沿って固定設備に対して相対的に移動可能である。光ファイバアダプタはまたハウジングの開口５０２の各々の内部に取り付けられるスリーブマウント５０６を含み、スリーブマウント５０６は開口の縦軸に対してほぼ平行に第一の端から第二の端へ伸びる方向へ開口の中に挿入されるように構成される。【選択図】図９
2009503581.tif 000002
【特許請求の範囲】
【請求項１】
第一の端及び第二の端を含むワンピースハウジングであり、該ハウジングが前記第一の端から前記第二の端まで伸びる少なくとも３つの開口を含み、該開口の各々が光ファイバコネクタで終端される２本のケーブルを相互接続するための別個の光ファイバアダプタを形成し、前記開口の各々が縦軸を形成する、ハウジングと、
前記ハウジングの前記開口の各々の内部に取り付けられるスリーブマウントであり、該スリーブマウントが前記開口の前記縦軸に対してほぼ平行に前記第一の端から前記第二の端へ伸びる方向へ前記開口の中へ挿入されるように構成される、スリーブマウントと、
を含む、ことを特徴とする光ファイバアダプタアセンブリ。
【請求項２】
前記スリーブマウントが前記開口内部で前記ハウジングとスナップ嵌め形態を構成することを特徴とする、請求項１に記載の光ファイバアダプタアセンブリ。
【請求項３】
前記光ファイバアダプタがＳＣタイプの前記光ファイバコネクタを相互接続するために構成されることを特徴とする、請求項１に記載の光ファイバアダプタアセンブリ。
【請求項４】
さらに固定設備を含み、前記ワンピースハウジングが前記固定設備に可動的に取り付けられ、
前記ハウジングが第一の位置と第二の位置との間で前記固定設備に対して相対的に移動可能であり、前記ハウジングが前記開口の前記縦軸に対して非平行の移動線に沿って移動可能であることを特徴とする、請求項１に記載の光ファイバアダプタアセンブリ。
【請求項５】
前記ハウジング及び前記固定設備が、前記固定設備に対して相対的に前記ハウジングをスライドさせるための嵌め合い構造を含むことを特徴とする、請求項４に記載の光ファイバアダプタアセンブリ。
【請求項６】
さらに前記ワンピースハウジングに取り付けられるロック部材を含み、
前記ロック部材が前記固定設備に対して相対的に前記ハウジングが移動することを防止するために前記固定設備と相互にロックすることを特徴とする、請求項４に記載の光ファイバアダプタアセンブリ。
【請求項７】
前記少なくとも３つの開口の各々が前記開口の各々を分離する壁を形成し、各壁が前記第一の端から前記第二の端まで伸び、
前記壁が、前記壁を第一の壁区分及び第二の壁区分に分離するスリットを含み、かつ前記開口の中への前記スリーブマウントの挿入時に前記第一の壁区分が前記スリーブマウントを受け入れるために前記第二の壁区分に向かって撓曲するように構成される、ことを特徴とする、請求項１に記載の光ファイバアダプタアセンブリ。
【請求項８】
前記３つの開口のうちの１つの中心から隣接する開口の中心までの距離が約９．２ｍｍ（０．３６４インチ）であることを特徴とする、請求項１に記載の光ファイバアダプタアセンブリ。
【請求項９】
前記ハウジングが前記第一の端から前記第二の端まで伸びる６つの前記開口を含み、前記開口の各々が別個の前記光ファイバアダプタを形成することを特徴とする、請求項１に記載の光ファイバアセンブリアセンブリ。
【請求項１０】
前記少なくとも３つの開口の各々が大きい方の寸法及び小さい方の寸法を含み、前記大きい方の寸法が前記小さい方の寸法より大きく、かつ前記開口が前記アダプタの配列を構成するために前記開口の前記小さい方の寸法に沿って整列される、ことを特徴とする、請求項１に記載の光ファイバアダプタアセンブリ。
【請求項１１】
固定設備と、
複数のワンピースハウジングであり、ハウジングの各々が第一の端及び第二の端を含み、前記ハウジングが前記第一の端から前記第二の端まで伸びる少なくとも３つの開口を含み、該開口の各々が光ファイバコネクタで終端される２本のケーブルを相互接続するための別個の光ファイバアダプタを形成し、前記開口の各々が縦軸を形成し、前記ハウジングが前記固定設備に可動的に取り付けられる、ハウジングと、
を含み、
モジュールが第一の位置と第二の位置との間で前記固定設備に対して相対的に移動可能であり、前記モジュールが前記開口の前記縦軸に対して非平行の移動線に沿って移動可能であることを特徴とする光ファイバアダプタアセンブリ。
【請求項１２】
さらに前記ハウジングの前記開口の各々の内部に取り付けられるスリーブマウントを含み、該スリーブマウントが前記開口の前記縦軸に対してほぼ平行に前記第一の端から前記第二の端へ伸びる方向へ前記開口の中へ挿入されるように構成されることを特徴とする、請求項１１に記載の光ファイバアダプタアセンブリ。
【請求項１３】
前記スリーブマウントが前記開口内部でハウジングの各々とスナップ嵌め形態を構成することを特徴とする、請求項１１に記載の光ファイバアダプタアセンブリ。
【請求項１４】
前記光ファイバアダプタがＳＣタイプの前記光ファイバコネクタを相互接続するために構成されることを特徴とする、請求項１１に記載の光ファイバアダプタアセンブリ。
【請求項１５】
前記ハウジングと前記固定設備の各々が前記固定設備に対して相対的に前記ハウジングをスライドさせるための嵌め合い構造を含むことを特徴とする、請求項１１に記載の光ファイバアダプタアセンブリ。
【請求項１６】
さらに前記ワンピースハウジングの各々に取り付けられるロック部材を含み、
該ロック部材が前記固定設備に対して相対的に前記ハウジングが移動することを防止するために前記固定設備と相互にロックすることを特徴とする、請求項１１に記載の光ファイバアダプタアセンブリ。
【請求項１７】
前記少なくとも３つの開口の各々が前記開口の各々を分離する壁を形成し、各壁が前記第一の端から前記第二の端まで伸び、前記壁が前記壁を第一の壁区分及び第二の壁区分に分離するスリットを含み、かつ前記開口の中への前記スリーブマウントの挿入時に前記第一の壁区分が前記スリーブマウントを受け入れるために前記第二の壁区分に向かって撓曲するように構成される、ことを特徴とする、請求項１２に記載の光ファイバアダプタアセンブリ。
【請求項１８】
前記３つの開口のうちの１つの中心から隣接する開口の中心までの距離が約９．２ｍｍ（０．３６４インチ）であることを特徴とする、請求項１１に記載の光ファイバアダプタアセンブリ。
【請求項１９】
前記ハウジングの各々が前記第一の端から前記第二の端まで伸びる６つの前記開口を含み、前記開口の各々が別個の前記光ファイバアダプタを形成することを特徴とする、請求項１１に記載の光ファイバアセンブリアセンブリ。
【請求項２０】
前記ハウジングの各々の前記少なくとも３つの開口の各々が大きい方の寸法及び小さい方の寸法を含み、前記大きい方の寸法が前記小さい方の寸法より大きく、かつ前記開口が前記ハウジングの各々において前記アダプタの配列を構成するために前記開口の前記小さい方の寸法に沿って整列される、ことを特徴とする、請求項１１に記載の光ファイバアダプタアセンブリ。
【発明の詳細な説明】
【技術分野】
【０００１】
本発明は光ファイバ遠距離通信設備に関する。特に、本発明は高密度アプリケーション用に設計される光ファイバアダプタモジュールに関する。
【背景技術】
【０００２】
遠距離通信産業において容量増大の要求は急速に高まっている。この要求は、部分的に光ファイバ伝送設備の使用及び密度の増大によって満たされている。光ファイバ設備は従来の銅線伝送設備と同じまたはこれより小さい設置面積でより高いレベルの伝送を可能にするとしても、要求はもっと高いレベルのファイバ密度を求めている。これが高密度ファイバ処理設備の開発を導いた。
【発明の開示】
【発明が解決しようとする課題】
【０００３】
このタイプの設備の一例が、ＡＤＣ  Ｔｅｌｅｃｏｍｍｕｎｉｃａｔｉｏｎｓ，Ｉｎｃ．に譲渡された米国特許第６，５９１，０５１号（以後、‘０５１号特許と呼ぶ）において示されている。この特許は高密度ファイバ配分フレーム及びフレームに取り付けられる高密度ファイバ終端ブロック（ＦＴＢ）に関するものである。多数の光ファイバがＦＴＢを出入りするので、フレーム及びブロックはファイバを組織し管理するために多様な構造を持つ。一部の構造はファイバがフレーム及びＦＴＢの裏面に入るのを助けるために使用される。他の構造はＦＴＢの前面から出るケーブルを処理するために配備される。ＦＴＢはまた密にパックされた終端へのアクセスを容易にするための構造を含む。この種の構造の１つはＦＴＢ内の密にパックされた終端へ選択的にアクセスできるようにするためにＦＴＢに組み込まれるスライド可能アダプタモジュールである。この種のファイバ終端システムのさらなる開発が望まれる。
【課題を解決するための手段】
【０００４】
本発明は光ファイバ遠距離通信装置に関する。この遠距離通信装置は光ファイバアダプタモジュールである。アダプタモジュールは、コネクタで終端される光ファイバケーブルを光学的に接続するためのアダプタの全体的にワンピース（一体型）のブロックを形成する。このブロックはアダプタの一体的配列を構成するための複数の開口を形成する。
【０００５】
１つの望ましい実施態様において、アダプタ配列を構成する開口は、スリーブマウントが開口内に挿入されるとき壁が外向きに曲がれるようにするスリットを含む壁によって分離される。スリットは２つの隣接するアダプタ同士が１つの壁を共有できるようにして、アダプタ配列の全長を最小限に抑える。
【０００６】
本発明の１つの態様に従えば、ブロックは、アダプタ及びコネクタの配列へアクセスできるようにするためにブロックが取り付けられる固定設備に対して相対的にスライド可能であるように構成される。
【０００７】
本発明の別の態様に従えば、光ファイバアダプタモジュールは第一の端及び第二の端を含む成形ワンピースハウジングを含み、ハウジングは第一の端から第二の端まで伸びる少なくとも３つの開口を含み、開口の各々は光ファイバコネクタで終端される２本のケーブルを相互に接続するための別個の光ファイバアダプタを形成する。ハウジングは、固定設備に可動的に取り付けられ、モジュールは、開口の縦軸に対して非平行の移動線に沿って固定設備に対して相対的に移動できる。光ファイバアダプタは、またハウジングの開口の各々の内部に取り付けられるスリーブマウントを含み、スリーブマウントは全体的に開口の縦軸に対して平行に第一の端から第二の端へ伸びる方向へ開口の中へ挿入されるように構成される。
【０００８】
以下の説明において本発明の多様な付加的な態様が示される。発明的態様は個々の特徴及び特徴の組合せに対応するものである。上の全体的説明も下の詳細な説明も例示的かつ説明的なものであり、本明細書において開示される実施態様がベースとする広義の発明概念を制限するものではないと解釈されるべきである。
【発明を実施するための最良の形態】
【０００９】
次に、添付図面に示される本開示の発明的態様の例について詳しく述べる。可能であれば、図面全体を通じて同じまたは同様の部品を指すために同じ参照番号が使用される。
【００１０】
本開示の原理に従った発明的態様の例である特徴を有する高密度分配フレーム１１及び２つの高密度ファイバ終端ブロック１０１が図１に示されている。同様の高密度配分フレーム１１は米国特許第６，５９１，０５１号において説明されており、その開示は参照により組み込まれる。
【００１１】
図１を参照すると、ファイバ配分フレーム１１は６つのファイバ終端ブロック１０１の垂直列の２列を受けるのに適している。図１においては終端ブロックのうち２つが取り付けられている。同様のファイバ終端ブロックが‘０５１号特許において説明されている。この２列のファイバ終端ブロック１０１の中間に、ファイバ終端ブロック１０１内の光ファイバ終端間を連結するために使用される相互接続ケーブルを組織化しその過剰なたるみを貯蔵するための一連のスプール３０を形成するジャンパ貯蔵トラフ２１が配置される。
【００１２】
ファイバ終端ブロック１０１が図２に示されている。ファイバ終端ブロック１０１は、本開示の原理に従った発明的態様の例である特徴を有する複数のスライド式アダプタモジュール１１６を含む。スライド式アダプタモジュール１１６は中に取り付けられるコネクタに選択的にアクセスできるようにするためにファイバ終端ブロック１０１から外向きへスライドするように構成される。アダプタモジュール１１６はモジュールに取り付けられるコネクタの縦軸Ａ（図２参照）に対してほぼ直角を成す方向へスライドする。
【００１３】
図３は本開示の原理に従った発明的態様の例である特徴を有するファイバ終端ブロック３００の別の実施態様を示している。ファイバ終端ブロック３００と同様のファイバ終端ブロックが‘０５１号特許にも説明されている。ファイバ終端ブロック３００は、本開示の原理に従った発明的態様の例である特徴を有するスライド式アダプタモジュール３１６の代替実施態様を含む。スライド式アダプタモジュール３１６は、アダプタモジュール３１６がモジュールに取り付けられるコネクタの縦軸Ａに対して非直角の角度でスライドするように構成されることを除いて、図１、２のスライド式アダプタモジュール１１６と同様である。図３に示される通り、アダプタモジュール３１６は階段的形態を有する。
【００１４】
以下の論述は傾斜スライド式アダプタモジュール３１６に重点を置いているが、下記の説明は図１、２に示されるアダプタモジュール１１６にも十分に応用できる。
【００１５】
さらに図３を参照すると、スライド式アダプタモジュール３１６は壁４００を通じてファイバ終端ブロック３００に取り付けられる。各壁４００はアダプタモジュール３１６がスライドできるように設計される。図４、５において、壁４００のうち１つがさらに詳しく示されている。各壁４００は、ガイドエッジ４１６の第一の端４２２に隣接する第一のノッチ４２４及びガイドエッジの第二の端４２８に隣接する第二のノッチ４２６を形成するガイドエッジ４１６を含む。第二のノッチ４２６は、第二のノッチから見てタブ４３０の反対側にショルダ４２０を構成するタブ４３０によって形成される。図５に示される壁４００の断面図を参照すると、壁４００は、壁４００の対向する側に１対の線形溝４１４を形成する。１つの壁からの溝４１４は、隣接する壁からの溝４１４と協働して、下にさらに詳しく説明する通り、スライド式アダプタモジュール３１６用の軌道となる。壁４００は、また、ファイバ終端ブロック３００（図３参照）など遠距離通信装置に取り付けるためのファスナ用開口４１３を含む。
【００１６】
次に図６、７を参照すると、スライド式アダプタモジュール３１６は、協働してスライド式アダプタモジュール３１６用の軌道を構成する１対の壁４００にスライド可能に取り付けられる。図６において、スライド式アダプタモジュール３１６は壁４００に対して後退位置で示されている。図７において、スライド式アダプタモジュール３１６は壁４００に対して完全伸長位置で示されている。
【００１７】
次に図８−１８を参照すると、スライド式アダプタモジュール３１６が示されている。アダプタモジュール３１６はアダプタ３１５のブロックを構成するモジュールハウジング５００を含む。ハウジング５００はコネクタを受け入れるためのアダプタ３１６の配列を構成する複数の開口５０２を形成する。開口５０２は壁５０４によって分離される。ハウジング５００は、下でさらに詳しく説明する通り開口にスリーブマウント５０６を挿入するとき壁５０４が半径方向外向きに撓曲できるようにするために分離壁５０４を貫通するスリット５２６を形成する（図１９参照）。各スリット５２６は、壁５０４を、対向する壁の区分すなわち第一の壁区分５０５及び第二の壁区分５０７に分離する。
【００１８】
図８−１８に示される例において、ハウジング５００は６つの一体的アダプタ３１５を形成する６つの開口５０２を形成する。開口５０２の数を変えることによって、任意の数の一体的アダプタをハウジング５００内に構成できることが判るだろう。また、図に示されるアダプタ３１５はＳＣタイプのコネクタを受け入れるように構成されているが、他のタイプのコネクタを相互接続するようにハウジング５００を設計することができることに留意しなければならない。図６−８において、スライド式アダプタモジュール３１６は、１対のＳＣタイプのコネクタ３１８がハウジング５００に形成されるアダプタ開口５０２のうちの１つに取り付けられている状態で示されている。
【００１９】
上述の通り、本明細書において説明されるアダプタ３１５のブロックはＳＣタイプのコネクタ用に設計されている（図６−８においては３１８で示されている）。従って、分離壁５０４の構造を含むアダプタ開口５０２の内部形態はＳＣタイプのコネクタを収容するように設計される。図９において、スライド式アダプタモジュール３１６の内部コンポーネントが示されている。内部コンポーネントは、スリーブマウント５０６及びスリーブマウント５０６内部に挿入されるように設計されるフェルールスリーブ５０８を含む。スリーブマウント５０６は一般的にはワンピース（一体型）設計であり、相互接続のために各端からＳＣタイプのコネクタを受けるように構成される。
【００２０】
スリーブマウント５０６は、ラッチノーズ５１０、ラッチフック５１２、軸方向の穴５１４及びスペーサ５１６を含む。スリーブマウントは軸方向の穴５１４の周りに形成される可撓性のアーム５１５を含む。スリーブ５０８はスリーブマウント５０６の軸方向の穴５１４の中に受け入れられるように構成され、スリーブマウントにおいて、可撓性アーム５１５はスナップ嵌め形態でスリーブ５０８を受け入れるために半径方向外向きに撓曲する。可撓性アーム５１５は、スリーブ５０８が軸方向の穴５１４内に受け入れられたとき軸方向内部５１４にスリーブ５０８を保持するための内向きに伸びるフィンガ５１７を含む（図１９参照）。スリーブマウント５０６のどちらの端からも軸方向の穴５１４の中にスリーブ５０８を挿入することができる。スリーブ５０８は、また、スリーブ５０８を圧縮して軸方向の穴５１４の中への挿入時にスリーブの直径を弾力的に縮小できるようにするためのスリット５０９を含むこともできる。ラッチノーズ５１０はアダプタ開口５０２内部でスリーブマウント５０６がスナップ嵌めするように設計される。ラッチノーズ５１０は全体的に長方形である。ラッチフック５１２はＳＣタイプのコネクタ３１８をアダプタ３１５に留めるために使用される。スペーサ５１６は、スリーブマウント５０６がアダプタ開口５０２の中へ挿入されるときアダプタ開口５０２内部でスリーブマウント５０６を案内するためのガイドエッジとなる。スリーブマウント５０６は一方の端から開口５０２の縦軸Ａ（図９参照）に沿った方向へハウジング５００のアダプタ開口５０２の中へ挿入される。
【００２１】
図１９はアダプタモジュール３１６の拡大断面図であり、スリーブマウント５０６とハウジング５００の嵌め合い構造を示している。アダプタ開口５０２の内部で、アダプタ開口５０２を構成する２つの対向するアダプタ壁５０４の各々において、ハウジング５００は、スリーブマウント５０６のラッチノーズ５１０と協働するラッチタブ５１８及びラッチストップ５２０を形成する。ラッチタブ５１８は正方形の面５２２及び傾斜面５２４を含む。スリーブマウント５０６の挿入時に、傾斜面５２４はスリーブマウント５０６のラッチノーズ５１０と接触して、対向する各壁５０４の第一の壁区分５０５を対向する各壁５０４の第二の壁区分５０７へ向けて弾力的に外向きに撓曲させる。ラッチノーズ５１０が傾斜面５２４通過してしまったとき、第一の壁区分５０５は元に戻り、ラッチノーズ５１０はラッチタブ５１８の正方形面とラッチストップ５２０との間に捕捉される。分離壁５０４を貫通して形成されるスリット５２６は、スリーブマウント５０６の挿入時に隣接するアダプタ開口５０２を妨害することなく第一の壁区分５０５が外向きに撓曲できるようにする。このようにして、各アダプタが分離壁を共有する次のアダプタに整列し、かつアダプタ開口５０２の各々の両端からスリーブマウント５０６を挿入可能なアダプタ３１５の配列を構成することができる。スリーブマウント５０６の挿入が隣接するアダプタ開口５０２を妨害することなく第一の壁区分５０５が第二の壁区分５０７へ向かって撓曲できるので、分離壁５０４に形成されるスリット５２６は分離壁５０４のラッチタブ５１８及びラッチストップ５２０などインターロック構造を設けることを可能にする。本明細書において説明されるようなエンドマウント形態の場合、ハウジング５００の製造後にスリーブマウント５、６をハウジング５００の中へ挿入することができる。従って、ＳＣアダプタ３１５のブロックを構成するためにワンピースハウジング５００及びワンピーススリーブマウント５０６を使用することができる。これによって、マルチピースハウジング及びマルチピーススリーブマウントに比べて組立てが容易になり、かつ製造コストが減少する。ワンピースハウジングとスリーブマウントとの間のインターフェイスの特徴が米国特許出願第１０／５１３，２０７号において示されており、その開示は参照により本明細書に組み込まれる。さらに、隣接するアダプタを妨害することなく壁が撓曲できるようにするためにスリットを持つ分離壁を隣接するアダプタ同士が共有する設計を与えることによって、アダプタ配列の全長を減少することができる。
【００２２】
スライド可能にするために、アダプタモジュールハウジング５００は、壁４００に形成される溝４１４とスライド式に係合するために協働する１対のガイドレール５３０を形成する。ガイドレール５３０は、壁４００の溝４１４へのハウジング５００の挿入を容易にするために、ハウジング５００の後端５３４に隣接してガイド延長部５３２を含む。モジュール３１６は、ハウジングの前端５３８に旋回ハンドル５３６を含む。旋回ハンドル５３６は、ヒンジ５４０を軸として矢印Ｅの方向へ旋回するように構成される。旋回ハンドル５３６は、プッシュ／プルタブ５４２及びレバーチップ５４４を含む。旋回ハンドル５３６は、図９においてはハウジング５００から外されて示されている。同様の旋回ハンドル構造が、上述の‘０５１号特許において説明されている。
【００２３】
モジュール３１６は、ハウジング５００の後端５３４にハウジング５００と一体的に成形される回転ロック部材５４６を含む。ロック部材５４６は、ロック部材５４６の中央部５４８においてハウジング５００につなげて成形され、中央部の周りでロック部材５４６を弾力的に回転させることができる。ロック部材５４６はロックタブ５５０及び解除タブを含む。
【００２４】
モジュールの後退位置のとき（図６参照）、旋回ハンドル５３６のレバーチップ５４４は壁４００の第二の端４２８のショルダ４２０に支えられ、ロック部材５４６のロックタブ５５０は壁４００の第一の端４２２の第一のノッチ４２４内に収まる。スライドのためにハウジング５００を解除する際、ハンドル５３６を矢印Ｅの方向へ旋回させると、レバーチップ５４４はショルダ４２０を押して、ハウジング５００を前方へ動かし、ロック部材５４６のロックタブ５５０を第一のノッチ４２４から引き上げる（ロック部材５４６を弾力的に回転させることによって）。ハウジング５００が解除された後、ロック部材５４６のロックタブ５５０が壁４００の第二の端４２８に形成される第二のノッチ４２６に嵌まるまでガイドレール５３０が壁４００の線形溝４１４内をスライドするようにハウジング５００を手で引っ張ることができる。このようにして、モジュール３１６が完全伸長位置のとき（図７参照）、モジュール３１６が壁４００から滑り落ちないようにする。
【００２５】
望ましい場合には、完全伸長位置のとき、例えばアダプタモジュールの修理または交換のために、ロック部材５４６の解除タブ５５２を矢印Ｆの方向へ押して、ロック部材５４６を回転させて、第二のノッチ４２６からロックタブ５５０を引き出して、モジュール３１６を壁４００及びファイバ終端ブロック３００の他の部分から分離できるようにする。強く握るためにてこの原理で解除タブ５５２を押しながら同時にハウジング５００の他方の端の旋回ハンドル５３６を押すことができるので、一体的ロック部材５４６の回転形態はモジュールハウジング５００の解除を容易にする。ハウジング５００及び一体的回転ロック部材５４６は、スライド式モジュール３１６を壁４００から外すために繰り返し弾力的に回転させることができるのに十分な可撓性及び強度を持つ材料から成形されることが望ましい。特定の実施態様において、ハウジング５００をＶＡＬＯＸ（登録商標）ＰＢＴ樹脂から作ることができる。
【００２６】
アダプタ３１５の一体的なブロックを形成するワンピースハウジング５００から製造することによって、モジュール３１６はその全体的な長さ、幅及び高さを減少することができ、より高密度のファイバ終端を可能にする。例えば、各アダプタ開口５０２は大きい方の寸法Ｄ１及び小さい方の寸法Ｄ２を含み、大きい方の寸法Ｄ１は小さい方の寸法Ｄ２より大きい（図１０参照）。ハウジングは、開口５０２がその小さいほうの寸法Ｄ２に沿って整列してアダプタ３１５の配列全体の長さＬ１を構成するように構成される。大きい方の寸法Ｄ１はＳＣタイプのコネクタの長方形の面の長い方の辺にほぼ一致するように定められ、小さいほうの寸法Ｄ２はＳＣタイプのコネクタの長方形の面の短い方の辺にほぼ一致するように定められる。これは技術上一般に知られている。アダプタの配列を構成するためにアダプタ開口５０２の小さい方の寸法Ｄ２を整列させることによって、別個に取り付けられるアダプタに比べてアダプタの配列の全長Ｌ１を減少することができる。上述の通り、アダプタ壁５０４の各々を貫通して形成されるスリット５２６を持つアダプタ壁５０４の形態は、隣接する対のアダプタ同士が共通の分離壁を共有し、開口５０２が小さいほうの寸法に沿って整列されるようにし、アダプタ３１５の密度を増大することができる。１つの実施態様において、２つの隣接するコネクタは約９．２ｍｍ（０．３６４インチ）のポート中心−ポート中心間寸法ＣＣを有する（図１９参照）。６つのアダプタ開口を有する１つの実施態様において、アダプタ配列は約５５．４ｍｍ（２．１８５インチ）の長さＬ１を有する。
【００２７】
１つの実施態様において、アダプタモジュール３１６は約７３．３ｍｍ（２．８８５インチ）の全長ＬＭ（図１８参照）、約６７．３ｍｍ（２．６５インチ）のプッシュ／プルタブ５４２からガイド延長部５３２の端までの全高ＨＭ（図１８参照）及び約１２．７ｍｍ（０．５インチ）の幅ＷＭ（図１７参照）を有する。
【００２８】
本明細書において説明される実施態様においてモジュールはＳＣコネクタのみのために構成されるが、業界にはＳＣコネクタとは異なるタイプがあるので、ハウジングは識別のために表示ラベル５６０（図１２参照）を配置するためのくぼみを含むことができる。本明細書において説明される実施態様において、モジュールはＳＣコネクタのみのために構成される。しかし、各種の異なる種類のアダプタの一体的配列を形成する他のハウジングも想定される。
【００２９】
図１−３の高密度配分フレーム１１及びファイバ終端ブロック１０１、３００は、本明細書において説明されるスライド式アダプタモジュール１１６、３１６を使用できる多様なタイプの装置または固定設備の例に過ぎない。例えば、固定設備は米国特許第６，５０４，９８８号及び米国特許出願公開第２００３／０００７７６７号に示される可動引出し付きシャーシの形を取ることができ、この開示は参照により本明細書に組み込まれる。
【００３０】
本発明の望ましい態様及び実施態様について説明したが、当業者は開示される概念の修正及び同等のものを容易に思い浮かべることができるだろう。この種の修正及び同等のものは本発明の特許請求の範囲内に含まれるものとする。
【図面の簡単な説明】
【００３１】
【図１】本開示の原理に従った発明的態様の例である特徴を有する高密度ファイバ配分フレームの前面斜視図であり、高密度ファイバ配分フレームは２つのファイバ終端ブロックが取り付けられた状態で示されており、ファイバ終端ブロックは本開示の原理に従った発明的態様の例である特徴を有する。
【図２】図１に示されるファイバ終端ブロックのうちの１つの前面斜視図であり、ファイバ終端ブロックはカバーが開いてスライド式アダプタモジュールが伸びた状態で示されており、スライド式アダプタモジュールは本開示の原理に従った発明的態様の例である特徴を有する。
【図３】本開示の原理に従った発明的態様の例である特徴を有するファイバ終端ブロックの代替態様の上面断面図であり、ファイバ終端ブロックは本開示の原理に従った発明的態様の例である特徴を有するスライド式アダプタモジュールの代替実施態様を含む。
【図４】図３のファイバ終端ブロックにスライド式アダプタモジュールを取り付けるために構成される壁の斜視図である。
【図５】図４の線５−５に沿って見た壁の断面図である。
【図６】図３のスライド式アダプタモジュールの斜視図であり、アダプタモジュールは図４−５の１対の壁に取り付けられた状態で示されており、スライド式アダプタモジュールは壁に対して後退位置で示されかつ１対の光ファイバコネクタ（図には１本しか示されていない）がこれに接続された状態で示されている。
【図７】図６のスライド式アダプタモジュール及び壁の斜視図であり、スライド式アダプタモジュールは壁に対して完全な伸長位置で示されておりかつ１対の光ファイバコネクタがこれに接続された状態で示されている。
【図８】図３のスライド式アダプタモジュールの底面斜視図であり、アダプタモジュールは１対の光ファイバコネクタがこれに接続された状態で示されている。
【図９】図３のスライド式アダプタモジュールの分解斜視図であり、スリーブ、スリーブマウント及びスライド式アダプタモジュールから取り外されたアダプタモジュールの旋回ハンドルを示している。
【図１０】図９のスライド式アダプタモジュールの上面斜視図であり、完全に組み立てられた形態で示されている。
【図１１】図９のスライド式アダプタモジュールの底面斜視図であり、完全に組み立てられた形態で示されている。
【図１２】図９のスライド式アダプタモジュールの右側面図である。
【図１３】図９のスライド式アダプタモジュールの左側面図である。
【図１４】図９のスライド式アダプタモジュールの前面図である。
【図１５】図９のスライド式アダプタモジュールの裏面図である。
【図１６】図９のスライド式アダプタモジュールの上面図である。
【図１７】図９のスライド式アダプタモジュールの底面図である。
【図１８】図９のスライド式アダプタモジュールの、図１６の線１８−１８に沿って見た断面図である。
【図１９】図１８の断面図の拡大図である。
【図１】
2009503581.tif 000003
【図２】
2009503581.tif 000004
【図３】
2009503581.tif 000005
【図４】
2009503581.tif 000006
【図５】
2009503581.tif 000007
【図６】
2009503581.tif 000008
【図７】
2009503581.tif 000009
【図８】
2009503581.tif 000010
【図９】
2009503581.tif 000011
【図１０】
2009503581.tif 000012
【図１１】
2009503581.tif 000013
【図１２】
2009503581.tif 000014
【図１３】
2009503581.tif 000015
【図１４】
2009503581.tif 000016
【図１５】
2009503581.tif 000017
【図１６】
2009503581.tif 000018
【図１７】
2009503581.tif 000019
【図１８】
2009503581.tif 000020
【図１９】
2009503581.tif 000021
【国際調査報告】
2009503581.tif 000022
2009503581.tif 000023
2009503581.tif 000024